(57)【要約】【課題】薬剤を含まない洗浄水を吐出する場合に、洗浄水流路を流れる洗浄水によって発生する負圧によって開閉弁が開くことを防止する。【解決手段】洗浄水流路１１に合流する薬剤供給経路１２に開閉弁３３を設ける。洗浄水流路１１に薬剤供給用ポンプ１３を設ける。開閉弁３３を閉じると共に薬剤供給用ポンプ１３を停止する洗浄水吐出モードと、開閉弁３３を開くと共に薬剤供給用ポンプ１３を運転する薬剤入り洗浄水吐出モードを備える。開閉弁３３は薬剤入り洗浄水吐出モードにおいては薬剤供給用ポンプ１３の圧力と洗浄水流路１１の薬剤供給経路１２との合流部１５で発生する負圧により弾性変形して開く。開閉弁３３は洗浄水吐出モードにおいては弾性復帰して閉じる。洗浄水吐出モードでの運転時において洗浄水流路１１の合流部１５で発生する負圧を低減する負圧低減手段を設ける。【選択図】図１
2008138418.tif 000002
【特許請求の範囲】
【請求項１】
洗浄水が供給されて下流側端部に吐出口を設けた洗浄水流路と、該洗浄水流路に合流する薬剤供給経路を備え、薬剤供給経路に開閉弁を設け、洗浄水流路を流れる洗浄水に薬剤供給経路から液体薬剤を供給する薬剤供給用ポンプを設け、開閉弁を閉じると共に薬剤供給用ポンプを停止し且つ洗浄水流路に洗浄水を供給して吐出口から洗浄水を吐出する洗浄水吐出モードと、開閉弁を開くと共に薬剤供給用ポンプを運転し且つ洗浄水流路に洗浄水を供給して吐出口から薬剤入り洗浄水を吐出する薬剤入り洗浄水吐出モードを備え、前記開閉弁は、薬剤入り洗浄水吐出モードにおいては薬剤供給用ポンプの圧力と洗浄水流路の薬剤供給経路との合流部で発生する負圧により弾性変形して開き、且つ洗浄水吐出モードにおいては弾性復帰して閉じるものであり、前記洗浄水吐出モードでの運転時において、洗浄水流路の薬剤供給経路との合流部で発生する負圧を低減する負圧低減手段を設けて成ることを特徴とする洗浄水吐出装置。
【請求項２】
洗浄水流路の薬剤供給経路との合流部を大気に開放させる大気開放路を設け、薬剤入り洗浄水吐出モードにおいては薬剤供給用ポンプの圧力と洗浄水流路の薬剤供給経路との合流部で発生する負圧により前記開閉弁が弾性変形して薬剤供給経路を開くと共に大気開放路を閉じ、且つ洗浄水吐出モードにおいては前記開閉弁が弾性復帰して薬剤供給経路を閉じると共に大気開放路を開くように設定し、該開閉弁と大気開放路とで前記負圧低減手段を構成して成ることを特徴とする請求項１に記載の洗浄水吐出装置。
【請求項３】
前記洗浄水流路における薬剤供給経路との合流部よりも上流側に洗浄水流路を流れる洗浄水に空気を混入して気泡入り洗浄水とする空気混入部を設けて成ることを特徴とする請求項１又は請求項２に記載の洗浄水吐出装置。
【請求項４】
上記請求項１乃至３のいずれか１項に記載の洗浄水吐出装置を備えた便器装置であって、洗浄水吐出装置の吐出口を便器のボウル内に臨ませて成ることを特徴とする便器装置。
【請求項５】
洗浄水吐出モードで所定時間運転した後、薬剤入り洗浄水吐出モードで所定時間運転するボウル洗浄モードを備えて成ることを特徴とする請求項４に記載の便器装置。
【発明の詳細な説明】
【技術分野】
【０００１】
本発明は洗浄水吐出装置及びこれを備えた便器装置に関する。
【背景技術】
【０００２】
例えば従来から利用されている便器装置には、ボウル部内を洗浄する洗浄装置として、洗浄水又は洗浄水に液体薬剤を混入して得た薬剤入り洗浄水のいずれか一方を選択的に吐出する洗浄水吐出装置を備えたものがあり、例えば特許文献１にはこの種の洗浄水吐出装置を備えた便器装置が開示してある。
【０００３】
上記特許文献１に示す洗浄水吐出装置は、洗浄水が供給されて下流側端部に吐出口を設けた洗浄水流路と、該洗浄水流路に合流する薬剤供給経路を備えている。薬剤供給経路には電磁弁を設けてあり、この電磁弁を開閉することで洗浄水又は洗浄水に液体薬剤を混入して得た薬剤入り洗浄水のいずれか一方を選択的に吐出できるようになっている。
【０００４】
しかし上記洗浄水吐出装置にあっては液体薬剤の供給の有無を電磁弁により切り替えることで行っているので制御が複雑となる。また特許文献１では液体薬剤を貯留する薬剤タンクを高い位置に配置して液体薬剤の水頭圧を利用して洗浄水流路に液体薬剤を供給するようにしてあるが、この場合は安定した量の液体薬剤を洗浄水流路に供給できない恐れがある。
【０００５】
そこで本発明者は本発明に至る過程において、洗浄水流路を流れる洗浄水に薬剤供給経路から液体薬剤を供給する薬剤供給用ポンプを設け、また上記電磁弁に替えて弾性変形可能な開閉弁を設け、該開閉弁を薬剤入り洗浄水を吐出する場合には薬剤供給用ポンプの圧力と洗浄水流路の薬剤供給経路との合流部で発生する負圧により弾性変形して開き、且つ薬剤を含まない洗浄水を吐出する場合には弾性復帰して閉じるように設定した。しかしこのように開閉弁を薬剤供給用ポンプの圧力により弾性変形して開閉するものとすると、薬剤を含まない洗浄水を吐出する場合に、洗浄水流路を流れる洗浄水によって発生する負圧によって開閉弁が開き、薬剤供給経路の液体薬剤が洗浄水流路側に漏れ出す恐れがある。
【特許文献１】特開平５−２１４７５７号公報
【発明の開示】
【発明が解決しようとする課題】
【０００６】
本発明は上記従来の問題点に鑑みて発明したものであって、薬剤供給用ポンプにより洗浄水流路に安定した量の液体薬剤を洗浄水流路に供給でき、薬剤供給経路に設けられる開閉弁を電磁弁で構成するものと比較して制御を単純化でき、しかも薬剤を含まない洗浄水を吐出する場合に、洗浄水流路を流れる洗浄水によって発生する負圧によって開閉弁が開くことを防止できる洗浄水吐出装置及びこれを備えた便器装置を提供することを課題とするものである。
【課題を解決するための手段】
【０００７】
上記課題を解決するために本発明の請求項１に係る洗浄水吐出装置は、洗浄水が供給されて下流側端部に吐出口９を設けた洗浄水流路１１と、該洗浄水流路１１に合流する薬剤供給経路１２を備え、薬剤供給経路１２に開閉弁３３を設け、洗浄水流路１１を流れる洗浄水に薬剤供給経路１２から液体薬剤１０を供給する薬剤供給用ポンプ１３を設け、開閉弁３３を閉じると共に薬剤供給用ポンプ１３を停止し且つ洗浄水流路１１に洗浄水を供給して吐出口９から洗浄水を吐出する洗浄水吐出モードと、開閉弁３３を開くと共に薬剤供給用ポンプ１３を運転し且つ洗浄水流路１１に洗浄水を供給して吐出口９から薬剤入り洗浄水を吐出する薬剤入り洗浄水吐出モードを備え、前記開閉弁３３は、薬剤入り洗浄水吐出モードにおいては薬剤供給用ポンプ１３の圧力と洗浄水流路１１の薬剤供給経路１２との合流部１５で発生する負圧により弾性変形して開き、且つ洗浄水吐出モードにおいては弾性復帰して閉じるものであり、前記洗浄水吐出モードでの運転時において、洗浄水流路１１の薬剤供給経路１２との合流部１５で発生する負圧を低減する負圧低減手段を設けて成ることを特徴とする。上記薬剤供給用ポンプ１３により洗浄水流路１１に安定した量の液体薬剤１０を洗浄水流路１１に供給でき、また薬剤供給経路１２の開閉弁３３を、薬剤入り洗浄水吐出モードにおいては薬剤供給用ポンプの圧力と洗浄水流路１１の薬剤供給経路１２との合流部１５で発生する負圧により弾性変形して開き、且つ洗浄水吐出モードにおいては弾性復帰して閉じるようにしたので、該薬剤供給経路１２に設けられる開閉弁３３を電磁弁で構成するものと比較して制御を単純化できる。また洗浄水吐出モードでの運転時においては、負圧低減手段により洗浄水流路１１の薬剤供給経路１２との合流部１５で発生する負圧を低減できるので、洗浄水流路１１の合流部１５で発生する負圧により開閉弁３３が開くことを防止できる。
【０００８】
また請求項２は請求項１において、洗浄水流路１１の薬剤供給経路１２との合流部１５を大気に開放させる大気開放路４４を設け、薬剤入り洗浄水吐出モードにおいては薬剤供給用ポンプ１３の圧力と洗浄水流路１１の薬剤供給経路１２との合流部１５で発生する負圧により前記開閉弁３３が弾性変形して薬剤供給経路１２を開くと共に大気開放路４４を閉じ、且つ洗浄水吐出モードにおいては前記開閉弁３３が弾性復帰して薬剤供給経路１２を閉じると共に大気開放路４４を開くように設定し、該開閉弁３３と大気開放路４４とで前記負圧低減手段を構成して成ることを特徴とする。上記のように薬剤入り洗浄水吐出モードにおいては薬剤供給用ポンプ１３の圧力と洗浄水流路１１の合流部１５で発生する負圧とにより、開閉弁３３が弾性変形して薬剤供給経路１２を開くと共に大気開放路４４を閉じ、且つ洗浄水吐出モードにおいては開閉弁３３が弾性復帰して薬剤供給経路１２を閉じると共に大気開放路４４を開くように設定してあるので、大気開放路４４の開閉を薬剤供給経路１２を開閉する開閉弁３３によって行うことができる。
【０００９】
また請求項３は請求項１又は請求項２において、前記洗浄水流路１１における薬剤供給経路１２との合流部１５よりも上流側に洗浄水流路１１を流れる洗浄水に空気を混入して気泡入り洗浄水とする空気混入部１７を設けて成ることを特徴とする。このように空気混入部１７を設けることで、洗浄効果の高い気泡入り洗浄水を吐出口９から吐出できる。
【００１０】
また請求項４に係る便器装置は、上記請求項１乃至３のいずれか１項に記載の洗浄水吐出装置６を備えた便器装置であって、洗浄水吐出装置６の吐出口９を便器２のボウル部５内に臨ませて成ることを特徴とする。請求項１乃至３のいずれか１項に記載の洗浄水吐出装置６を備えた便器装置１を提供できる。
【００１１】
また請求項５は請求項４において、洗浄水吐出モードで所定時間ｔ１運転した後、薬剤入り洗浄水吐出モードで所定時間ｔ２運転するボウル洗浄モードを備えて成ることを特徴とする。ボウル部５の内面を洗浄水で洗浄した後、該ボウル部５内に洗浄効果や防汚効果の高い薬剤入り洗浄水を吐出できる。
【発明の効果】
【００１２】
請求項１に係る発明では、洗浄水流路に安定した量の液体薬剤を洗浄水流路に供給でき、薬剤供給経路に設けられる弁を電磁弁で構成するものと比較して制御を単純化でき、また洗浄水吐出モードでの運転時においては、負圧低減手段により洗浄水流路の薬剤供給経路との合流部で発生する負圧を低減できるので、洗浄水流路の合流部で発生する負圧により開閉弁が開くことを防止でき、これにより洗浄水吐出モード時において液体薬剤が洗浄水流路に漏れ出すことを防止できる。
【００１３】
また請求項２に係る発明では、請求項１に係る発明の効果に加えて、大気開放路の開閉を薬剤供給経路を開閉する開閉弁によって兼用でき、大気開放路に別途弁を設ける必要がない。
【００１４】
また請求項３に係る発明では、請求項１又は請求項２に係る発明の効果に加えて、洗浄効果の高い気泡入り洗浄水を吐出口から吐出できる。
【００１５】
また請求項４に係る発明では、請求項１乃至３のいずれか１項に記載の洗浄水吐出装置６を備えた便器装置１を提供できる。
【００１６】
また請求項５に係る発明では、請求項４に係る発明の効果に加えて、ボウル部の内面を洗浄水で洗浄した後、該ボウル部内に洗浄効果や防汚効果の高い薬剤入り洗浄水を吐出できる。
【発明を実施するための最良の形態】
【００１７】
以下、本発明を添付図面に示す実施形態に基づいて説明する。図１は本発明の洗浄水吐出装置６を備えた便器装置１であり、合成樹脂製の便器２で主体を構成してある。なお図中３は便器２に回動自在に設けた便座であり、４は便器２に回動自在に設けた便蓋である。
【００１８】
便器２のボウル部５の下部には後方に向けて排水筒部７を突設してあり、該排水筒部７からトラップを介してボウル部５内の溜水を排水できるようになっている。本例のトラップはターントラップ方式のもので、排水筒部７に接続したフレキシブルなトラップ筒８により構成してあり、モータ（図示せず）によりトラップ筒８を回動して、図１で実線に示すようにトラップ筒８が上向きＵ字状となったトラップ構造となる状態と、破線で示すように略逆Ｌ字状となってトラップ構造が解除される状態とを選択できるようになっており、通常はトラップ筒８が上向きＵ字状となったトラップ構造となっていてボウル部５内の下部、排水筒部７、トラップ筒８内に水が溜まった状態となっていて、この状態で大便や小便を行い、大便や小便が終わると、洗浄水吐出装置６の吐出口９から洗浄水を流すと共に、トラップ筒８を回動してトラップ構造を解除する状態として、汚物と共に汚水を排水するようになっている。
【００１９】
図１乃至図６に示す洗浄水吐出装置６は便器２の後部に内装されている。洗浄水吐出装置６は吐出口９から洗浄水又は洗浄水に液体薬剤１０を混入して得た薬剤入り洗浄水のいずれか一方を選択的にボウル部５の内面に吐出して洗浄するものである。
【００２０】
図１に示すように洗浄水吐出装置６は、洗浄水が供給される洗浄水流路１１と、洗浄水流路１１に合流する薬剤供給経路１２を備えており、薬剤供給経路１２には薬剤供給経路１２から洗浄水流路１１を流れる洗浄水に液体薬剤１０を供給する薬剤供給用ポンプ１３を設けている。
【００２１】
洗浄水流路１１は図示しない水源に接続されて水道水からなる洗浄水が供給される流路であり、洗浄水流路１１に洗浄水を供給する手段としては水道圧を利用する。洗浄水流路１１の下流側端部にはボウル部５の上端部後方に配設されてボウル部５内に臨む吐出ノズル１４（図５参照）を設けてあり、該吐出ノズル１４の先端開口で前述の吐出口９を構成している。吐出口９はボウル部５の側端部から前方に臨み、該吐出口９から吐出された洗浄水又は薬剤入り洗浄水はボウル部５の内周面に沿って旋回する。洗浄水流路１１において薬剤供給経路１２との合流部１５よりも上流側には電磁弁１６を設けてあり、電磁弁１６を開閉することで洗浄水流路１１に供給された洗浄水を吐出口９から吐出するか否かを切替可能としてある。
【００２２】
洗浄水流路１１における合流部１５よりも上流側で且つ電磁弁１６よりも下流側の部分には、洗浄水流路１１を流れる洗浄水に空気を混入して気泡入り洗浄水とする空気混入部１７を設けている。空気混入部１７は一端を大気に開放した空気供給路１８の他端を洗浄水流路１１の一部に接続することで構成してあり、洗浄水流路１１を流れる洗浄水のエジェクタ効果により空気供給路１８から洗浄水流路１１に空気を供給し、これにより気泡入り洗浄水を得る。
【００２３】
図５等に示すように洗浄水流路１１において空気供給路１８を接続する部分は、上流側のノズル管１９と下流側のエジェクタ管２０とで構成してある。ノズル管１９は下流側に向かって流路断面積を徐々に小さくする先細形状に形成してあり、該ノズル管１９の先端部を横管状のエジェクタ管２０の一端開口からエジェクタ管２０内に挿入している。ノズル管１９の先端部の外側に位置するエジェクタ管２０の内周面はノズル管１９の先端部よりも大径に形成してあり、これによりノズル管１９の先端部近傍に洗浄水の流れにより大きな負圧が発生する負圧発生部２１を形成している。前述の空気供給路１８の一端は洗浄水流路１１の負圧発生部２１に接続してあり、負圧発生部２１で発生する負圧により洗浄水流路１１を流れる洗浄水に確実に空気を混入できるようになっている。
【００２４】
エジェクタ管２０における負圧発生部２１よりも下流側にはベンチュリ管状流路部２２を形成している。該流路部２２は、上流側及び下流側の流路断面積の大きな大径部２３と、両大径部２３間の小径部２４とで構成してあり、上流側から流れてきた気泡入り洗浄水を小径部２４から下流側の大径部２３に至る部分で圧力を変化させ、これにより洗浄水に含まれる気泡を合流部１５よりも下流側で剪断して細分化する。また洗浄水流路１１の薬剤供給経路１２との合流部１５よりも下流側には洗浄水に含まれる気泡を剪断するメッシュで構成した整流板２５を設けている。即ち本例では洗浄水流路１１の合流部１５よりも下流側に小径部２４及びこれよりも下流側の大径部２３で構成した気泡細分化手段と、ここで細分化された気泡を更に細分化する整流板２５からなる気泡細分化手段とを設けている。なおエジェクタ管２０の下流側端部には前述の吐出口９を構成する吐出ノズル１４の基端部を接続している。
【００２５】
図１に示すように薬剤供給経路１２は、界面活性剤を含む洗剤からなる液体薬剤１０が循環する循環経路２６と、循環経路２６から分岐した分岐経路２７とで構成してあり、該分岐経路２７の下流側端部を洗浄水流路１１に接続している。
【００２６】
循環経路２６の途中には液体薬剤１０を貯留する薬剤タンク２８を設けてあり、該薬剤タンク２８は吐出口９よりも下方の便器２の後部の下部に内装してある。薬剤タンク２８には薬剤供給口２９を設けてあり、該薬剤供給口２９は着脱自在に取付けたキャップ３０により閉塞されている。また便器２の外面において薬剤タンク２８に対向する部分は便器２に対して着脱自在に設けたカバー（図示せず）により構成してあり、使用者はこのカバーを取り外すことで、薬剤タンク２８の薬剤供給口２９から薬剤タンク２８内に液体薬剤１０を補充できるようになっている。また薬剤タンク２８は便器２に対して着脱自在に設けてあり、前述のカバーを取り外した状態で便器２から外部に取り出した状態で液体薬剤１０を補充できるようになっている。循環経路２６において分岐経路２７との分岐部３１のすぐ上流側には、洗浄水流路１１を流れる洗浄水に液体薬剤１０を供給する薬剤供給用ポンプ１３として、薬剤タンク２８内の液体薬剤１０を循環させる循環ポンプ１３ａを設けている。
【００２７】
図５等に示すように分岐経路２７の上流側部分（後述の管部３７によって構成される部分）は小径の孔部で構成してあり、循環ポンプ１３ａにより循環経路２６を循環する液体薬剤１０のうち少量の液体薬剤１０が分岐経路２７を介して洗浄水流路１１に供給されるようになっている。分岐経路２７の下流側端部は前述したエジェクタ管２０において洗浄水の流速が速くなって大きな負圧が発生するベンチュリ管状流路部２２の小径部２４の洗浄水の流れ方向における中間部の上端部に接続してあり、即ち洗浄水流路１１における薬剤供給経路１２との合流部１５は小径部２４の洗浄水の流れ方向における中間部で構成してある。また分岐経路２７の下流側端部には開閉自在な開閉弁３３を設けてあり、該開閉弁３３を開閉することで薬剤供給経路１２と洗浄水流路１１の連通状態を切替可能としている。なお開閉弁３３については後に詳述する。
【００２８】
上記便器装置１の洗浄水吐出装置６は図示しない制御部を備えており、例えば操作部を操作する等して便器洗浄指令が制御部に送信されると、制御部は以下に示すボウル洗浄モードで運転を行いボウル部５を洗浄するように設定されている。なお既述の薬剤供給用ポンプ１３、電磁弁１６、モータは制御部に接続されて制御される。
【００２９】
図１０のタイムチャートに示すようにボウル洗浄モードは便器洗浄指令を受信した際に開始する洗浄水吐出モードと、洗浄水吐出モードで所定時間ｔ１運転した後に開始する薬剤入り洗浄水吐出モードとで構成してあり、薬剤入り洗浄水吐出モードの開始から所定時間ｔ２後にボウル洗浄モードは終了する。
【００３０】
洗浄水吐出モードは吐出口９から液体薬剤１０を混入していない洗浄水（即ち水道水）を吐出するモードである。該洗浄水吐出モードでは、開閉弁３３を閉じて薬剤供給経路１２と洗浄水流路１１の連通を遮断すると共に薬剤供給用ポンプ１３を停止し、且つ電磁弁１６を開いて洗浄水流路１１に洗浄水を供給する。これにより水源から洗浄水流路１１に供給された洗浄水は、空気混入部１７において空気が混入されて気泡入り洗浄水となり、この後、この洗浄水に含まれる気泡がベンチュリ管状流路部２２で細分化され、さらに整流板２５で細分化された後、吐出口９から吐出される。またこの洗浄水吐出モードにおいては、洗浄水吐出モードを開始してから所定時間ｔ３経過後に、モータを駆動してトラップ筒８を略逆Ｌ字状の下向きとし、これによりボウル部５内の溜水を排水し、さらにこの所定時間ｔ４後にモータを駆動してトラップ筒８を通常の上向きＵ字状とし、以後このボウル部５内に洗浄水を溜めることが可能な状態を維持する。ここで洗浄水吐出モードにおいて吐出口９から吐出される洗浄水に含まれる気泡の径は比較的大きい数ｍｍ程度に設定してある。このように気泡を含む洗浄水を吐出することで、洗浄水に含まれる気泡が破裂した際に発生する高周波振動の惹起による気泡入り洗浄水自体の高い洗浄力によりボウル部５の内面を効率良く洗浄でき、またこの場合、洗浄水の節水効果を高めることができる。また特にこの洗浄水に含まれる気泡はミリメータサイズと比較的大きく、このため気泡が破裂しやすくてボウル部５の内面を効率良く洗浄できる。
【００３１】
上記洗浄水吐出モードが終了すると薬剤入り洗浄水吐出モードに移行する。薬剤入り洗浄水吐出モードは吐出口９から液体薬剤１０を混入した洗浄水（即ち薬剤入り洗浄水）を吐出するモードである。薬剤入り洗浄水吐出モードでは、開閉弁３３を開いて薬剤供給経路１２と洗浄水流路１１を連通させると共に薬剤供給用ポンプ１３を運転し、且つ洗浄水吐出モード時と同様に電磁弁１６を開いて洗浄水流路１１に洗浄水を供給する。これにより水源から洗浄水流路１１に供給された洗浄水は薬剤供給経路１２との合流部１５よりも上流側においては上記洗浄水吐出モードと同様に空気混入部１７において空気が混入されて気泡を含む洗浄水となり、下流側に流れる。またこれと同時に薬剤供給用ポンプ１３によって循環経路２６内を流れる液体薬剤１０の一部が分岐経路２７を介して洗浄水流路１１の合流部１５に流入し、この合流部１５において前記洗浄水流路１１を流れる気泡を含む洗浄水と合流し、これにより気泡を含む薬剤入り洗浄水となって以後はこの薬剤入り洗浄水に含まれる気泡がベンチュリ管状流路部２２で細分化され、さらに整流板２５で細分化された後、吐出口９から吐出される。
【００３２】
上記洗浄水吐出モードにおいて吐出口９から吐出される薬剤入り洗浄水に含まれる気泡の径は前述の洗浄水吐出モードにおいて吐出口９から吐出される洗浄水に含まれる気泡の径よりも小さくなっている。これはベンチュリ管状流路部２２及び整流板２５で細分化される薬剤入り洗浄水に界面活性剤を含む液体薬剤１０が混入された場合、洗浄水の表面張力が低下し、これによりベンチュリ管状流路部２２及び整流板２５で剪断力が加えられた際に気泡がより細分化されるためである。具体的には、この洗浄水吐出モードにおいては、吐出口９から吐出される薬剤入り洗浄水に含まれる気泡の径は平均６０μｍ程度となるように設定してある。このように洗浄水吐出モードにおいて吐出口９から吐出される薬剤入り洗浄水に含まれる気泡の径を設定することで、ボウル部５の内面において溜水の水面と接する喫水線部分に界面活性剤を含む薬剤入り洗浄水で界面を形成した防汚効果の高いマイクロメータサイズの微小泡を付着させることができ、またこの微小泡は破裂し難く長時間ボウル部５の内面に付着させることができ、これらによりボウル部５の内面、特に喫水線部分を清潔にできる。
【００３３】
そして本発明にあっては、既述の開閉弁３３を、薬剤入り洗浄水吐出モードにおいては薬剤供給用ポンプ１３の圧力と洗浄水流路１１の薬剤供給経路１２との合流部１５で発生する負圧により弾性変形して開き、且つ洗浄水吐出モードにおいては弾性復帰して閉じるものとし、また洗浄水吐出モードでの運転時において、洗浄水流路１１の薬剤供給経路１２との合流部１５で発生する負圧を低減する負圧低減手段を設けてあり、以下に詳述する。
【００３４】
図３及び図１１に示すようにエジェクタ管２０の小径部２４からは上方に向けて筒部３４を一体に突設してあり、筒部３４の下底面部を構成するエジェクタ管２０の外周部には筒部３４内と小径部２４内を連通させるスリット状の連通孔３５を形成している。筒部３４の上部には循環経路２６の一部を構成する配管３６から下方に突設した管部３７を挿入して密閉状態で接続してあり、管部３７の上端は配管３６内、即ち循環経路２６に連通している。
【００３５】
筒部３４の下部の内側には弾性変形可能なゴムのような部材で形成した開閉弁３３を配設している。図８及び図９に示すように開閉弁３３は、一端（上端）が開口した有底筒状の筒状部３８と、筒状部３８の底部から筒状部３８と反対方向（下方）に突設した弁部３９を備えており、弁部３９は筒状部３８の軸方向（液体薬剤１０の流れ方向）から見て洗浄水流路１１を流れる洗浄水の流れ方向に長い薄片状である。開閉弁３３は図１１のように筒状部３８を筒部３４の下部の内側に嵌め込た状態で筒部３４に対して固定されており、筒状部３８の外周面と筒部３４の内周面は密接して封止されている。
【００３６】
開閉弁３３には筒状部３８の内側と弁部３９の先端面（下端面）を連通させるスリット状孔４０を形成してあり、該スリット状孔４０も洗浄水流路１１を流れる洗浄水の流れ方向と平行である。スリット状孔４０は弁部３９の厚み方向の中央部に形成してあり、開閉弁３３に外力が加わっていない状態では図１１に示すようにスリット状孔４０を閉じた状態で自己の形状を保持する。
【００３７】
開閉弁３３の薄片状の弁部３９の先端部は前述のエジェクタ管２０の小径部２４に形成した連通孔３５内に挿入され、該開閉弁３３のスリット状孔４０の弁部３９の先端側の開口は小径部２４内（即ち洗浄水流路１１内）に臨んでいる。つまり本例の分岐経路２７は循環経路２６から順に連続して配設した上記管部３７及び筒部３４の下部及び開閉弁３３で構成している。また筒部３４の周壁部において弁部３９に対向する位置には貫通孔４１を設けてあり、筒部３４内の開閉弁３３の弁部３９外側に形成された空間４２は貫通孔４１を介して外部に連通している。これにより開閉弁３３がスリット状孔４０を閉じた図１１の状態では、洗浄水流路１１の薬剤供給経路１２との合流部１５は、開閉弁３３の弁部３９の先端部と連通孔３５の内周面との間に形成された隙間４３、空間４２、貫通孔４１を順に介して外部に連通することとなり、これら隙間４３、空間４２、貫通孔４１で洗浄水流路１１の薬剤供給経路１２との合流部１５を大気に開放させる大気開放路４４が構成される。
【００３８】
上記開閉弁３３は、薬剤入り洗浄水吐出モード時においては、図１２に示すように薬剤供給用ポンプ１３の圧力と洗浄水流路１１の薬剤供給経路１２との合流部１５で発生する負圧により弁部３９が弾性変形して幅を広げ、これによりスリット状孔４０が開くように設定してある。このため薬剤入り洗浄水吐出モードにおいては薬剤供給経路１２の分岐経路２７と洗浄水流路１１が連通して液体薬剤１０が洗浄水流路１１に供給される。またこの時、弾性変形した弁部３９の先端部の外周面が連通孔３５の内周面に接して隙間４３を閉じるように設定してあり、該開閉弁３３により大気開放路４４の流路面積が小さくなって閉じ、これにより大気開放路４４を介して連通する合流部１５と外部の連通状態が遮断される。従ってこの場合は薬剤供給用ポンプ１３の圧力に加えて洗浄水流路１１の合流部１５で発生する負圧を利用して薬剤供給経路１２からの液体薬剤１０を洗浄水流路１１に確実に供給することができる。
【００３９】
また薬剤供給用ポンプ１３が停止される洗浄水吐出モード時においては、開閉弁３３には薬剤供給用ポンプ１３の圧力が加わらず、図１１に示すように開閉弁３３は弁部３９が弾性復帰して幅を狭め、これによりスリット状孔４０が閉じるように設定してある。このため洗浄水吐出モードにおいては薬剤供給経路１２の分岐経路２７と洗浄水流路１１の連通状態が遮断される。またこの時、弾性復帰した弁部３９の先端部と連通孔３５の内周面との間には前述の隙間４３が形成されて大気開放路４４が開き、これにより洗浄水流路１１の合流部１５が大気開放路４４を介して外部に連通する。そしてこの場合、大気開放路４４を介して外気が洗浄水流路１１の合流部１５に供給され、洗浄水流路１１の合流部１５を流れる洗浄水によって発生する負圧は低減する。従ってこの場合は、洗浄水流路１１の合流部１５で発生する負圧により開閉弁３３が弾性変形してスリット状孔４０が開くことが防止される。即ち本例にあっては、前述の開閉弁３３と大気開放路４４とで前記負圧低減手段を構成している。
【００４０】
以上説明したように本発明の便器装置１に設けた洗浄水吐出装置６にあっては、薬剤供給経路１２の開閉弁３３を、薬剤入り洗浄水吐出モードにおいては薬剤供給用ポンプの圧力と洗浄水流路１１の薬剤供給経路１２との合流部１５で発生する負圧により弾性変形して開き、且つ洗浄水吐出モードにおいては弾性復帰して閉じるようにしたので、該開閉弁３３を電磁弁で構成するものと比較して制御を単純化できる。また洗浄水吐出モードでの運転時においては、負圧低減手段により洗浄水流路１１の薬剤供給経路１２との合流部１５で発生する負圧を低減できるので、洗浄水流路１１の合流部１５で発生する負圧により開閉弁３３が開くことを防止でき、これにより洗浄水吐出モード時において液体薬剤１０が洗浄水流路１１に漏れ出すことを防止できる。また本例では薬剤入り洗浄水吐出モードにおいては薬剤供給用ポンプ１３の圧力と洗浄水流路１１の合流部１５で発生する負圧とにより、開閉弁３３が弾性変形して薬剤供給経路１２を開くと共に大気開放路４４を閉じ、且つ洗浄水吐出モードにおいては開閉弁３３が弾性復帰して薬剤供給経路１２を閉じると共に大気開放路４４を開くように設定してあるので、大気開放路４４の開閉を薬剤供給経路１２を開閉する開閉弁３３によって行うことができ、大気開放路４４に別途弁を設ける必要がない。
【図面の簡単な説明】
【００４１】
【図１】本発明の実施の形態の一例を示すものであり、洗浄水吐出装置を備えた便器装置の概略構成図である。
【図２】洗浄水吐出装置の要部を示し、（ａ）は側面図、（ｂ）は平面図、（ｃ）は正面図である。
【図３】図２（ｂ）のＡ−Ａ断面図である。
【図４】図２（ａ）のＢ−Ｂ断面図である。
【図５】図２（ｂ）のＣ−Ｃ断面図である。
【図６】同上の斜視図である。
【図７】エジェクタ管の斜視図である。
【図８】開閉弁の斜視図である。
【図９】同上の開閉弁を示し、（ａ）は平面図、（ｂ）は側面図、（ｃ）は正面図である。
【図１０】ターントラップ、開閉弁、薬剤供給用ポンプの動作、及び吐出口から吐出される洗浄水に含まれる気泡の径を示すタイムチャートである。
【図１１】同上の薬剤入り洗浄水吐出モード時における開閉弁近傍の正面断面図である。
【図１２】同上の洗浄水吐出モード時における開閉弁近傍の正面断面図である。
【符号の説明】
【００４２】
１  便器装置
６  洗浄水吐出装置
９  吐出口
１０  液体薬剤
１１  洗浄水流路
１２  薬剤供給経路
１３  薬剤供給用ポンプ
１５  合流部
３３  開閉弁
【図１】
2008138418.tif 000003
【図２】
2008138418.tif 000004
【図３】
2008138418.tif 000005
【図４】
2008138418.tif 000006
【図５】
2008138418.tif 000007
【図６】
2008138418.tif 000008
【図７】
2008138418.tif 000009
【図８】
2008138418.tif 000010
【図９】
2008138418.tif 000011
【図１０】
2008138418.tif 000012
【図１１】
2008138418.tif 000013
【図１２】
2008138418.tif 000014